(57)【要約】【課題】複数の光源を有する照明装置において、点灯エリアごとにデューティ比または駆動電流量の少なくとも一方が異なる場合であっても、光源の駆動電流の変動を抑える。【解決手段】照明装置は、複数の光源と、光源の点灯期間と消灯期間のデューティ比および駆動電流量の少なくとも一方と、光源の点灯位相とを、１つまたは複数の光源からなるエリアごとに制御する制御手段と、を備え、前記制御手段は、前記エリアごとの点灯位相の決定順序を決定する順序決定手段と、前記決定順序にしたがってそれぞれのエリアの点灯位相を順次決定する位相決定手段であって、それまでに点灯位相が決定されたエリアおよび次のエリアに含まれる光源の駆動電流量の合計の変動が抑制されるように、次のエリアの点灯位相を決定する位相決定手段と、を含む。【選択図】図８
2016046104.tif 000002
【特許請求の範囲】
【請求項１】
複数の光源と、
光源の点灯期間と消灯期間のデューティ比および駆動電流量の少なくとも一方と、光源の点灯位相とを、１つまたは複数の光源からなるエリアごとに制御する制御手段と、
を備え、
前記制御手段は、
前記エリアごとの点灯位相の決定順序を決定する順序決定手段と、
前記決定順序にしたがってそれぞれのエリアの点灯位相を順次決定する位相決定手段であって、それまでに点灯位相が決定されたエリアおよび次のエリアに含まれる光源の駆動電流量の合計の変動が抑制されるように、次のエリアの点灯位相を決定する位相決定手段と、
を含む、ことを特徴とする照明装置。
【請求項２】
前記順序決定手段は、駆動電流量の高いエリアから順に点灯位相を決定するように前記決定順序を決定する、
請求項１に記載の照明装置。
【請求項３】
前記順序決定手段は、駆動電流量が同じであるエリアが複数存在する場合は、デューティ比が大きいエリアから順に点灯位相を決定するように前記決定順序を決定する、
請求項２に記載の照明装置。
【請求項４】
前記順序決定手段は、それぞれのエリアの駆動電流量をその大きさに応じて複数のレベルに分類し、駆動電流量の大きいレベルのエリアから順に点灯位相を決定するように前記決定順序を決定する、
請求項１に記載の照明装置。
【請求項５】
前記順序決定手段は、駆動電流量のレベルが同じであるエリアが複数存在する場合は、それぞれのエリアのデューティ比をその大きさに応じて複数のレベルに分類し、デューティ比の大きいレベルのエリアから順に点灯位相を決定するように前記決定順序を決定する、
請求項４に記載の照明装置。
【請求項６】
前記位相決定手段は、それまでに点灯位相が決定されたエリアに含まれる光源の駆動電流量の合計が最も低い位相において点灯するように、次のエリアの点灯位相を決定する、
請求項１〜５のいずれか１項に記載の照明装置。
【請求項７】
前記位相決定手段は、それまでに点灯位相が決定されたエリアに含まれる光源の駆動電流量の合計が最も低い位相のうち、最も小さい位相において点灯が開始するか、最も遅い位相において点灯が終了するように、次のエリアの点灯位相を決定する、
請求項６に記載の照明装置。
【請求項８】
前記位相決定手段は、それまでに点灯位相が決定されたエリアに含まれる光源の駆動電流の合計が最も低い位相の期間よりも、次のエリアの点灯期間の方が長い場合は、駆動電流の合計が最も低い位相の期間の前後の期間のうち、駆動電流の合計が低い方の期間においても点灯するように、次のエリアの点灯位相を決定する、
請求項６または７に記載の照明装置。
【請求項９】
前記画像表示装置用の照明装置であり、
画像データの入力を受け付ける入力手段をさらに備え、
前記制御手段は、前記画像データに応じてエリアごとに光源の駆動電流量およびデューティ比を決定する、
請求項１〜８のいずれか１項に記載の照明装置。
【請求項１０】
請求項１〜９のいずれか１項に記載の照明装置と、
前記複数の光源からの光を変調することで画面に画像を表示する表示手段と、
を備える画像表示装置。
【請求項１１】
複数の光源を備え、１つまたは複数の光源からなるエリアごとに光源の点灯期間と消灯期間のデューティ比および駆動電流量の少なくとも一方と、光源の点灯位相とを制御可能な照明装置の制御方法であって、
前記エリアごとに点灯位相の決定順序を決定する順序決定ステップと、
前記決定順序にしたがってそれぞれのエリアの点灯位相を決定する位相決定ステップであって、それまでに点灯位相が決定されたエリアおよび次のエリアに含まれる光源の駆動電流量の合計の変動が抑制されるように、次のエリアの点灯位相を決定する位相決定ステップと、
を含む、照明装置の制御方法。
【請求項１２】
前記順序決定ステップでは、駆動電流量の高いエリアから順に点灯位相を決定するように前記決定順序を決定する、
請求項１１に記載の照明装置の制御方法。
【請求項１３】
前記順序決定ステップでは、駆動電流量が同じであるエリアが複数存在する場合は、デューティ比が大きいエリアから順に点灯位相を決定するように前記決定順序を決定する、
請求項１２に記載の照明装置の制御方法。
【請求項１４】
前記順序決定ステップでは、それぞれのエリアの駆動電流量をその大きさに応じて複数のレベルに分類し、駆動電流量の大きいレベルのエリアから順に点灯位相を決定するように前記決定順序を決定する、
請求項１１に記載の照明装置の制御方法。
【請求項１５】
前記順序決定ステップでは、駆動電流量のレベルが同じであるエリアが複数存在する場合は、それぞれのエリアのデューティ比をその大きさに応じて複数のレベルに分類し、デューティ比の大きいレベルのエリアから順に点灯位相を決定するように前記決定順序を決定する、
請求項１４に記載の照明装置の制御方法。
【請求項１６】
前記位相決定ステップでは、それまでに点灯位相が決定されたエリアに含まれる光源の駆動電流量の合計が最も低い位相において点灯するように、次のエリアの点灯位相を決定する、
請求項１１〜１５のいずれか１項に記載の照明装置の制御方法。
【請求項１７】
前記位相決定ステップでは、それまでに点灯位相が決定されたエリアに含まれる光源の駆動電流量の合計が最も低い位相のうち、最も小さい位相において点灯が開始するか、最も遅い位相において点灯が終了するように、次のエリアの点灯位相を決定する、
請求項１６に記載の照明装置の制御方法。
【請求項１８】
前記位相決定ステップでは、それまでに点灯位相が決定されたエリアに含まれる光源の駆動電流の合計が最も低い位相の期間よりも、次のエリアの点灯期間の方が長い場合は、駆動電流の合計が最も低い位相の期間の前後の期間のうち、駆動電流の合計が低い方の期
間においても点灯するように、次のエリアの点灯位相を決定する、
請求項１６または１７に記載の照明装置の制御方法。
【請求項１９】
画像データの入力を受け付ける入力ステップと、
前記画像データに応じてエリアごとに前記駆動電流量および前記デューティ比を決定する決定ステップと、
をさらに含む、請求項１１〜１８のいずれか１項に記載の照明装置の制御方法。
【発明の詳細な説明】
【技術分野】
【０００１】
本発明は、照明装置、画像表示装置、および照明装置の制御方法に関する。
【背景技術】
【０００２】
液晶パネルを用いた画像表示装置（液晶ディスプレイ）においては、液晶パネルは自発光デバイスではないため、LED（Light-Emitting Diode）等の光源を用いたバックライト
が用いられる。また、液晶ディスプレイにおいて画像の輝度を調整する方法として、バックライトの輝度を変化させる方法があり、液晶の透過率の制御のみで調整するよりもコントラスト比を高めることができる。バックライトの輝度を調整する方法として、PWM（Pulse Width Modulation：パルス幅変調）が多く用いられる。この方法はバックライトを一
定周期で点灯と消灯させ、点灯期間と消灯期間の割合(デューティ比)を変化させることでバックライトの輝度を調整する方法である。
【０００３】
光源としてLEDを用いたバックライトには多くのLEDが敷き詰められており、画面全体をいくつかの点灯エリア（図2A,2B参照）に分割して、点灯エリアごとにPWM制御が行われる。ここで、全ての点灯エリアについて同じ位相で点灯と消灯を繰り返すと、PWMの1周期の中において合計電流量が大幅に変動してしまう。このように大幅に電流量が変動する場合、大電流期間では電源の変換効率が低下するため消費電力が増大してしまう。また大幅な変動に耐えうるようにバックライト電源の設計を行う必要があるため、コスト増となる懸念がある。そこで、特許文献1では点灯エリアごとに点灯開始タイミングを均等にずらす
ことで、合計駆動電流の平準化を行っている。
【０００４】
ところで、点灯エリアごとにPWMのデューティ比を変えるローカルディミングと呼ばれ
る技術が存在する。ローカルディミングは、表示画像の明暗に合わせて、画面内の点灯エリアごとにバックライトの輝度を変更する技術である（例えば特許文献2を参照）。この
ローカルディミングを行うことで、黒表示時における液晶からの光漏れ（いわゆる「黒浮き」）を抑制し、画面内のコントラスト比を高めることが可能になる。
【０００５】
ローカルディミング制御を行う場合は特許文献1の方法では合計駆動電流が平準化され
ない。そこで、この場合にも合計駆動電流の変動が小さくなくなるようにバックライトを制御する技術として、点灯エリアごとのデューティ比に応じて、各点灯エリアのPWMの位
相を変更する技術がある（例えば特許文献3を参照）。特許文献3では、点灯エリアをデューティ比が同じ（あるいは同程度の）グループに分けし、各グループ内の点灯開始タイミングが離れるように点灯開始タイミングを定めている。例えば、デューティ比50%とデュ
ーティ比0％の点灯エリアが混在する状況では、図9Aに示すように、それぞれのグループ
ごとに点灯開始タイミングが調整されて、合計電流の変動が抑制される。
【先行技術文献】
【特許文献】
【０００６】
【特許文献１】特開２００９−１８８１３５号公報
【特許文献２】特開２００１−１４２４０９号公報
【特許文献３】特開２０１３−２３２３９８号公報
【発明の概要】
【発明が解決しようとする課題】
【０００７】
しかしながら、点灯エリアごとに光源の駆動電流量が異なる場合は、デューティ比に基づく位相決定を行う特許文献3の手法でも合計電流の変動を抑制できない。図9Bのように
、点灯エリアごとに光源の駆動電流量が異なるようなケース(点灯エリア1、点灯エリア2
、点灯エリア11、点灯エリア12の駆動電流は他の点灯エリアの駆動電流の2倍)を例に説明する。このようなケースではディーティ比が全ての光源で同じであるため、全ての点灯エリアの点灯開始タイミングが均等にずれるように設定されてしまい、合計電流の平準化ができない。また仮に、図9Bの例において各光源のデューティ比が異なっていても特許文献3の手法は各光源の合計電流が等しいことを前提としているので、特許文献3の手法に従ってPWMの位相を変化させても合計電流の平準化はできない。
【０００８】
このように、従来技術では点灯エリアごとにPWMの点灯位相をデューティ比に応じて変
更しても、点灯エリアごとに電流量が違うケースにおいては合計電流の変動幅が大きくなってしまう可能性があった。
【０００９】
そこで、本発明は、複数の光源を有する照明装置において、点灯エリアごとのデューティ比あるいは駆動電流量の少なくともいずれかが異なる場合であっても光源の駆動電流の変動を抑えることを目的とする。
【課題を解決するための手段】
【００１０】
本発明の第一の態様は、複数の光源と、光源の点灯期間と消灯期間のデューティ比および駆動電流量の少なくとも一方と、光源の点灯位相とを、１つまたは複数の光源からなるエリアごとに制御する制御手段と、を備え、前記制御手段は、前記エリアごとの点灯位相の決定順序を決定する順序決定手段と、前記決定順序にしたがってそれぞれのエリアの点灯位相を順次決定する位相決定手段であって、それまでに点灯位相が決定されたエリアおよび次のエリアに含まれる光源の駆動電流量の合計の変動が抑制されるように、次のエリアの点灯位相を決定する位相決定手段と、を含む、ことを特徴とする照明装置である。
【００１１】
本発明の第二の態様は、複数の光源を備え、１つまたは複数の光源からなるエリアごとに光源の点灯期間と消灯期間のデューティ比および駆動電流量の少なくとも一方と、光源の点灯位相とを制御可能な照明装置の制御方法であって、前記エリアごとに点灯位相の決定順序を決定する順序決定ステップと、前記決定順序にしたがってそれぞれのエリアの点灯位相を決定する位相決定ステップであって、それまでに点灯位相が決定されたエリアに含まれる光源の駆動電流量の合計の変動が抑制されるように、次のエリアの点灯位相を決定する位相決定ステップと、を含む、照明装置の制御方法である。
【発明の効果】
【００１２】
本発明によれば、複数の光源を有する照明装置において、点灯エリアごとのデューティ比および駆動電流量の両方または少なくともいずれかが異なるであっても、光源の駆動電流の変動を抑えることができる。
【図面の簡単な説明】
【００１３】
【図１】実施例1-3に係る画像表示装置の概略構成を示すブロック図。
【図２】バックライトの点灯エリア分割の一例を示す図。
【図３】実施例1（動作例1）におけるディレイ決定処理を説明する図。
【図４−１】実施例1（動作例2）におけるディレイ決定処理を説明する図。
【図４−２】実施例1（動作例2）におけるディレイ決定処理を説明する図。
【図５−１】実施例1（動作例3）におけるディレイ決定処理を説明する図。
【図５−２】実施例1（動作例3）におけるディレイ決定処理を説明する図。
【図６−１】実施例2（動作例4）におけるディレイ決定処理を説明する図。
【図６−２】実施例2（動作例4）におけるディレイ決定処理を説明する図。
【図６−３】実施例2（動作例4）におけるディレイ決定処理を説明する図。
【図６−４】実施例2（動作例4）におけるディレイ決定処理を説明する図。
【図６−５】実施例2（動作例4）におけるディレイ決定処理を説明する図。
【図７−１】実施例3（動作例5）におけるディレイ決定処理を説明する図。
【図７−２】実施例3（動作例5）におけるディレイ決定処理を説明する図。
【図７−３】実施例3（動作例5）におけるディレイ決定処理を説明する図。
【図７−４】実施例3（動作例5）におけるディレイ決定処理を説明する図。
【図７−５】実施例3（動作例5）におけるディレイ決定処理を説明する図。
【図８】実施例1-3におけるディレイ決定処理のフローチャートおよび説明図。
【図９】先行技術の課題を説明する図。
【発明を実施するための形態】
【００１４】
実施例を参照して本発明を説明する。以下で説明する実施例は、本発明を説明するための例示であり、本発明は以下の実施例に限定されるわけではない。以下の実施例では、透過型の液晶表示装置を例として説明するが、画像表示装置は、透過型の液晶表示装置に限らない。画像表示装置は、発光装置（照明装置）からの光を変調することで画面に画像を表示する画像表示装置であればよい。例えば、画像表示装置は、反射型の液晶表示装置であってもよい。また、画像表示装置は、液晶素子の代わりにMEMS(Micro Electro Mechanical System)シャッターを用いたMEMSシャッター方式ディスプレイであってもよい。
【００１５】
（実施例１）
［構成］
本発明の第一の実施例を説明する。図１は本実施例に係る画像表示装置の概略を示すブロック図である。画像表示装置100は、画像入力部101から画像信号の入力を受け付け、入力された画像信号に対し画像解析部102で解析を行う。画像解析部102の解析結果に応じて、LCD（Liquid Crystal Display）制御部103はLCDパネル104を制御して、LCDの各画素の
液晶を配向させ画像表示が可能な状態にする。またバックライト制御部105は画像解析部102の解析結果に応じて、LEDドライバ106に必要なPWM制御（パルス幅変調制御）のデュー
ティ比（点灯期間と消灯期間の比）等の設定を行う。バックライト制御部105は、PWM制御のデューティ比に加えて、点灯位相もそれぞれのLEDドライバごとに制御可能である。本
実施例では、PWM制御におけるパルスの振幅（LEDの駆動電流）は全て同じであるとする。画像解析部102、LCD制御部103、バックライト制御部105は、専用のハードウェア回路によって実装されてもよいし、汎用プロセッサがプログラムを実行するコンピュータによって実装されてもよい。
【００１６】
LEDドライバ106は複数のチャンネルを持ち、それぞれのチャンネルがバックライト107
を構成する光源であるLEDに接続されており、チャンネルごとに設定された条件でLEDを点灯させる。バックライト107がLCDパネル104を照射することにより、画像表示部108に画像が表示される。1つのチャンネルには、1つのLEDのみが接続されてもよいし、複数のLEDが接続されてもよい。また、チャンネルごとのLED数は同じであっても異なっていてもよい
。以下では、LEDドライバ106の同一チャンネルによって制御されるLEDを、LEDの点灯エリアと称する。
【００１７】
本実施例では、バックライト107の領域を図2Aのようにマトリクス状に12点灯エリアに
分割して、点灯エリアごとにPWMのデューティ比および点灯のタイミングを制御可能であ
る場合を例に挙げて説明する。ただし、点灯エリアの数やその配置は任意であってよい。例えば、バックライト107の領域を図2Ｂのように縦方向に12点灯エリアに分割して点灯エリアごとに、PWMのデューティ比および点灯のタイミングを制御可能であってもよい。図
２A,図2Bの12点灯エリアは、画像表示部108の画面を分割して得られる12点灯エリアに対
応しているものとする。もちろんこれらは一例であり分割数は12分割に限るものではなく、これよりも多い場合も少ない場合も考えられる。また1つの点灯エリアに存在する光源
の数は１つの場合も考えられるし、複数の光源が存在する場合も考えられる。
【００１８】
PWMの周期を決めるために、PWMの1周期（例えば1/200秒）ごとにPWM基準信号がバック
ライト制御部105により生成される。ここで、PWM基準信号からバックライトが点灯を開始するまでの時間をディレイ時間として定義する。ディレイ時間により、PWM制御の１周期
の期間内におけるLEDの点灯位相が定まる。従って、本実施例では、各LEDのディレイ時間を調整することは、各LEDの点灯位相を調整することを意味する。このディレイ時間は点
灯エリアごとに設定することが可能である。本実施例では、合計電流の変動を抑えるために、点灯エリアごとに異なるディレイ時間が設定可能である。合計電流の変動は、PWM制
御の１周期の期間内における各点灯エリアのLEDの電流量を合計したものの変動を表す。
なお、ディレイ時間の定義は上記の定義に限らず、例えば、PWM基準信号から消灯までの
時間をディレイ時間としても良いし、PWM基準信号から点灯時間の中間点までの時間をデ
ィレイ時間と定義しても良い。
【００１９】
本実施例において、バックライト制御部105は、それぞれの点灯エリアのディレイ（点
灯タイミング、点灯位相とも呼べる）を次のように決定する。
1．デューティ比の高い（点灯期間の長い）点灯エリアから順にディレイを決定する
。
2．既にディレイを決定した点灯エリアの駆動電流の合計値が最も低い期間において
点灯するように次の点灯エリアのディレイを決定する。
【００２０】
［動作例１］
ここで本発明におけるディレイ時間の決定方法を説明するため、はじめに点灯エリアごとの駆動電流量（単に電流量とも称する）およびデューティ比が全て同じである場合のディレイの決定方法を説明する。図3Aのように、全ての点灯エリアについて、デューティ比が50%(0.5T)、駆動電流量が全て基準の1Cであるとする。この場合、全ての点灯エリアの
位相を同じにして、ディレイを0Tと設定すると、図3A下部に示すように合計電流量は12C
と0Cを交互に繰り返すように電流量の変動が起きる。
【００２１】
このようにデューティ比および駆動電流量が設定されている場合に、バックライト制御部105が上述の方法にしたがって各点灯エリアのディレイを決定する動作例を図3Bを参照
して説明する。
【００２２】
この例では全ての点灯エリアについて駆動電流量および点灯デューティ比は同じである。したがって、上記1.のディレイ決定順序の決定処理では任意の順序として決定してよい。ここでは、点灯エリア番号が若い点灯エリア1から順にディレイを決定していくものと
する。また、本例では、上記2．のディレイ決定処理において、決定済みの点灯エリアの
駆動電流の合計値が最も低い期間のうち最も早いタイミング（小さい位相）において点灯が開始するようにディレイ（点灯位相）を決定する。
点灯エリア1のディレイ決定時には、ディレイ決定済みの点灯エリアがなく、全ての位
相で合計電流量が0であるため、点灯エリア1のディレイは0Tと設定する。
点灯エリア2のディレイを決める際には、位相0T-0.5Tまでは合計電流量は1Cであり他は0であるので点灯エリア2のディレイは0.5Tと決定される。
点灯エリア3のディレイを決める際には、これまでにディレイが決定された点灯エリア1-2の合計電流量は全ての位相で1Cである。したがって、点灯エリア3のディレイは0Tと決
定される。
点灯エリア4のディレイを決める際には、これまでにディレイが決定された点灯エリア1-3の合計電流量は、0T-0.5Tが2C、0.5T-1Tが1Cである。したがって、点灯エリア4のディ
レイは0.5Tと決定される。
それを繰り返すと点灯エリア5-12のディレイは、それぞれ0T, 0.5T, 0T, 0.5T, 0T, 0.5T, 0T, 0.5Tとなる。最終的に決定された各点灯エリアの点灯パターンおよび合計電流量
を図3Bに示す。このようにディレイを決めることで、合計電流量の最大値が12C（図3A）
だったものを、半分の6Cに抑えることができる。さらに、合計電流量の時間的な変動も防ぐことが可能になる。
【００２３】
［動作例２］
次に、全ての点灯エリアで同じデューティ比および駆動電流量を設定した場合の例として、各点灯エリアの点灯デューティ比が30%(0.3T)で駆動電流量が1Cである場合について
図4Aから図4Cを参照して説明する。図4Aは、全ての点灯エリアのディレイを0Tに設定した場合を示しており、合計電流量は12Cと0Cの間で大きく変動する。
【００２４】
このような場合にバックライト制御部105によるディレイ決定処理は次のようになる。
まず上記の動作例1と同様に、点灯エリア1のディレイを0Tとして決定され、その後は0.3Tずつずらして、点灯エリア2のディレイは0.3T、点灯エリア3のディレイは0.6T、点灯エリア4のディレイは0.9Tと決定される。なお、点灯エリア4のディレイは0.9Tと決定され、そのデューティ比は0.3Tなので、点灯エリア4は0T-0.2Tおよび0.9T-1.0Tの期間に点灯され
ることになる。
【００２５】
ここまでの決定に基づく点灯エリア1-4の点灯期間を図4Bに示す。各位相における合計
駆動電流は、0T-0.2Tが2C、0.2T-1Tが1Cである。したがって、点灯エリア5のディレイは0.2Tと決定される。同様に点灯エリア6のディレイは0.5T、点灯エリア7のディレイは0.8T
、点灯エリア8のディレイは0.1T、点灯エリア9のディレイは0.4T、点灯エリア10のディレイは0.7T、点灯エリア11のディレイは0T、点灯エリア12のディレイは0.3Tと決定される。このように全ての点灯エリアのディレイが決定される。
【００２６】
ディレイ決定後の全ての点灯エリア1-12の点灯パターンおよび合計駆動電流量を図4Cに示す。図からわかるように、合計駆動電流量の最大値は4Cで最小値は3Cであり、その変動は1Cである。全ての点灯エリアのディレイを等しく設定する図4Aの方法では合計電流量は12Cと0Cの間の変動で変動するが、本手法によって変動量を抑制可能となる。
【００２７】
［動作例３］
次に、全ての点灯エリアの駆動電流量が同じであり、点灯エリアごとにデューティ比が異なる場合を例として、図5A-5Cを参照して説明する。ここでは、点灯エリア1-3のデューティ比が50%(0.5T)、点灯エリア4-6のデューティ比が40%(0.4T)、点灯エリア7-9のデューティ比が20%(0.2T)、点灯エリア10-12のデューティ比が0%(0T)であるとする。図5Aは、全ての点灯エリアのディレイを0Tに設定した場合を示している。
【００２８】
このような場合にバックライト制御部105によるディレイ決定処理は次のようになる。
ディレイの決定はディーティ比の高いものから行われ、デューティ比が同じ場合の決定順序は任意なので、本例では、点灯エリア1-12の順番でディレイが決定される。なお、この例では説明の分かりやすさのために、ディレイの決定順序が点灯エリア番号の順番となるようにデューティ比を設定しているが、実際にはこの限りではない。
【００２９】
次に、各点灯エリアのディレイ決定について説明する。ディレイ決定済みの点灯エリアの合計電流量に基づいてディレイを決定すると、図5Bに示すように、点灯エリア1のディ
レイは0T、点灯エリア2のディレイは0.5T、点灯エリア3のディレイは0Tと決定される。
【００３０】
点灯エリア1-3のディレイが決定すると、次にデューティ比の高い点灯エリア4-6のディレイの決定に移る。ここまでのディレイ決定により、駆動電流量の合計は、0T-0.5Tにお
いて2C, 0.5T-1.0Tにおいて1Cとなる。
したがって、点灯エリア4のディレイは0.5Tと決定され、駆動電流量の合計は、0T-0.9T
において2C, 0.9T-1.0Tにおいて1Cとなる。
点灯エリア5のディレイは0.9Tと決定され、駆動電流量の合計は、0T-0.3Tにおいて3C, 0.3T-1.0Tにおいて2Cとなる。
点灯エリア6のディレイは0.3Tと決定され、駆動電流量の合計は、0T-0.7Tにおいて3C, 0.7T-1.0Tにおいて2Cとなる。
【００３１】
点灯エリア6までのディレイが決定すると、次にデューティ比の高い点灯エリア7-9のディレイ決定に移る。
同様に、点灯エリア7のディレイが0.7Tと決定され、駆動電流量の合計は、0T-0.9Tにおいて3C, 0,9T-1.0Tにおいて2Cとなる。
点灯エリア8のディレイは0.9Tと決定され、駆動電流量の合計は、0T-0.1Tにおいて4C, 0,1T-1.0Tにおいて3Cとなる。
点灯エリア9のディレイは0.1Tと決定され、駆動電流量の合計は、0T-0.3Tにおいて4C, 0,9T-1.0Tにおいて3Cとなる。
【００３２】
点灯エリア10-12はデューティ比が0T（点灯なし）であるので特にディレイは設定しな
い。以上のようにディレイを設定したときの点灯パターンおよび合計駆動電流量を図5Bに示す。合計電流は3C-4Cの間に収まり合計電流の変動が抑制されていることが分かる。
【００３３】
比較のため、特許文献1のように各点灯エリアのディレイをデューティ比によらずに、1/12Tずつずらして固定した場合の点灯パターンと合計電流を図5Cに示す。この場合と比較してみても本実施例の手法により合計電流量の変動の抑制が図られていることが分かる。
【００３４】
以上の方法でもってディレイ時間を設定することにより、図5Aのように合計電流量の変動幅が大きくなる状態を防ぎ、図5Bの状態のように合計電流量の変動を抑えた点灯状態を実現可能となる。また図5Bでは電流量の変動を完全には抑制が出来ていないが、点灯エリア分割数をさらに増すことで、合計電流の変動割合をより小さくすることが可能になる。
【００３５】
また、本実施例ではバックライトを一つの電源で駆動する前提で当該一つの電源の合計電流の変動が抑制されるように点灯エリアごとのディレイ時間を決定する方法を説明した。バックライトを複数の電源で駆動する場合には、電源ごとに合計電流の変動が抑制されるように点灯エリアごとのディレイ時間の設定を行うようにする。例えば、画面の上半分(図2の点灯エリア1-6)と下半分(図2の点灯エリア7-12)で別の電源で駆動するような場合
がある。このような場合には、点灯エリア1-6のなかで本実施例の方法を用いてディレイ
値を決定し、同時に点灯エリア7-12の中でディレイ値をそれぞれ決定することが好ましい。
【００３６】
以上のように、本実施例で示したバックライトの制御方法を適用することにより、ローカルディミング制御を行った際にも、バックライトに電力供給を行う電源における供給電力（バックライトのLEDに流れる合計電流量）の大幅な変動を抑えることが出来る。従っ
て、電力効率が良くコストを抑えた電源設計が可能になり、低消費電力、低コストを実現可能になる。
【００３７】
（実施例２）
本実施例は、点灯エリアごとにLEDの駆動電流を制御可能なバックライトを有する画像
表示装置である。本実施例の構成および処理は基本的に実施例1と同様である。主な相違
点は、LEDごと（点灯エリアごと）に駆動電流が異なる点である。
【００３８】
点灯エリアごとに駆動電流を変える例として、例えば、LCDドライバ106の駆動電流があらかじめ点灯エリアごとに異なる値に設定することが考えられる。例えば、LEDバックラ
イトでは画面中央部よりも画面周辺部の輝度が低くなる傾向があるため、画面周辺部の駆動電流を高く設定して輝度ムラの低減を図るバックライトが考えられる。
【００３９】
あるいは、バックライト制御部105が、画像データに応じて、点灯エリアごとにデュー
ティ比（パルス幅）だけでなくバックライトの駆動電流量（パルス振幅）も決定するものであってもよい。すなわち、LEDの点灯および消灯を、パルス振幅変調（PAM）およびパルス幅変調（PWM）の両方によって制御する（PHM: Pulse Harmonic Modulationとも呼ばれ
る）。これにより、ローカルディミング制御によって点灯エリアごとに輝度を変える場合に、制御階調を増やすことができる。
【００４０】
本実施例では、バックライト制御部105によるディレイ決定処理は、駆動電流量の高い
点灯エリアから順にディレイを決定する点で実施例1と異なる。その他の点では、実施例1と同様である。
【００４１】
［動作例4］
点灯エリアごとにLEDの駆動電流量が異なり、デューティ比は同じである場合を例とし
て、ディレイの決定方法について、図6A-6Lを参照して説明を行う。ここでは、各点灯エ
リアの駆動電流量は、点灯エリア1-3が4C、点灯エリア4-6が3C、点灯エリア7-9が2C、点
灯エリア10-12が1Cであるとする。また、全ての点灯エリアについて、点灯デューティ比
は同じで40%(0.4T)であるとする。全ての点灯エリアのディレイを0Tに設定した場合の点
灯パターンを図6Aに示しており、この場合は合計駆動電流が30Cと0Cの間で変動する。
【００４２】
このような場合のバックライト制御部105によるディレイ決定処理は次のようになる。
ディレイの決定は駆動電流量の高いものから行われる。駆動電流量が同じ場合の決定順序は任意である。したがって、本例では、点灯エリア1-12の順番でディレイを決定するように、ディレイ決定順序が定められる。なお、この例では説明の分かりやすさのために、ディレイの決定順序が点灯エリア番号の順番となるに駆動電流量を設定しているが、実際にはこの限りではない。
【００４３】
それぞれの点灯エリアについてのディレイの決定方法は基本的に実施例1と同様であり
、「ディレイ決定済みの点灯エリアの合計電流が最も低い位相が点灯期間になるようにディレイを決定する」という方法で決めていく。まず点灯エリア1のディレイは0Tと決定さ
れる。次に点灯エリア2のディレイは0.4Tと決定され、同様に点灯エリア3のディレイは0.8Tと決定される。点灯エリア3までディレイを決定した後の点灯パターンを図6Bに示す。
【００４４】
点灯エリア3までディレイを決定した時点での合計駆動電流は図6C上段に示すように、0T-0.2Tが8C、0.2T-1Tが4Cである。したがって、点灯エリア4のディレイは図6C下段に示すように0.2Tと決定される。
点灯エリア4までディレイを決定した時点での合計駆動電流は図6D上段に示すように、0T-0.2Tが8C、0.2T-0.6Tが7C、0.6T-1Tが4Cとなる。したがって、点灯エリア5のディレイ
は図6D下段に示すように0.6Tと決定される。
点灯エリア5までディレイを決定した時点での合計駆動電流は図6E上段に示すように、0T-0.2Tが8C、0.2T-1Tが7Cとなる。したがって、点灯エリア6のディレイは図6E下段に示すように0.2Tと決定される。
【００４５】
点灯エリア6までディレイを決定した時点での合計駆動電流は図6F上段に示すように0T-0.2Tが8C、0.2T-0.6Tが10C、0.6T-1Tが7Cとなる。したがって、点灯エリア7のディレイは図6F下段に示すように0.6Tと決定される。なお、図6Fにおいて合計電流量のグラフは高さを省略して示している。合計電流量を示すその他のグラフにおいても、ハッチングが施されているものは同様に高さを省略して示している。
【００４６】
点灯エリア7までディレイを決定した時点での合計駆動電流は図6G上段に示すように0T-0.2Tが8C、0.2T-0.6Tが10C、0.6T-1Tが9Cである。ここで、合計駆動電流量が最も低い期
間である0T-0.2Tは、点灯エリア7の点灯期間0.4Tよりも短い。したがって、合計駆動電流量が最も低い期間よりも前または後の期間においても点灯エリア7を点灯させる必要があ
る。このとき、合計駆動電流量の変動を小さくするために、合計駆動電流量が最も低い期間の前後の期間のうち、合計駆動電流が小さい方の期間においても点灯させるようにディレイを決定する。今の例では、0T-0.2Tの前の期間である0.6T-1Tの期間の方が後の期間0.2T-0.6Tよりも合計駆動電流量が小さいため、0.6T-1Tにおいても点灯するようにディレイを制御する。合計駆動電流が最も小さい期間（0T-0.2T）の全てで点灯するために、図6G
下段に示すように点灯エリア7の点灯終了タイミングが0.2Tとなるように、すなわち、デ
ィレイ（点灯開始タイミング）を0.8Tと決定する。
【００４７】
点灯エリア8までディレイを決定した時点での合計駆動電流量は図6H上段に示すように0T-0.6Tが10C、0.6T-0.8Tが9C、0.8T-1Tが11Cである。よって点灯エリア9のディレイは、
上記と同様に、電流量の最も低い0.6T-0.8Tと2番目に低い0T-0.6Tにかかるように決定さ
れる。ここでは図6H下段に示すように、点灯エリア8の点灯終了タイミングが0.8Tとなる
ように、ディレイを0.4Tと決定する。
【００４８】
点灯エリア9までディレイを決定した時点での合計駆動電流は図6I上段に示すように0T-0.4Tが10C、0.4T-0.6Tが12C、0.6T-1Tが11Cとなる。したがって、点灯エリア10のディレ
イは図6I下段に示すように0Tと決定される。
【００４９】
点灯エリア10までディレイを決定した時点での合計駆動電流は図6J上段に示すように0T-0.4Tが11C、0.4T-0.6Tが12C、0.6T-1Tが11Cである。したがって、点灯エリア11のディレイは図6J下段に示すように0Tと決定される。
【００５０】
点灯エリア11までディレイを決定した時点での合計駆動電流量は図6K上段に示すように0T-0.6Tが12C、0.6T-1Tが11Cである。したがって、点灯エリア12のディレイは図6K下段に示すように0.6Tと決定される。
【００５１】
以上のように全てのディレイを決定した点灯パターンおよび合計駆動電流を図6Lに示す。ここでは全位相で合計電流量が12Cとなり変動が起きていない。もちろんこれは一例で
あり、点灯エリアごとの電流量やデューティ比によっては実際には多少の変動が伴う場合もある。しかしながら、いずれにしても変動幅を抑えることが可能になり、実施例1の場
合と同様で点灯エリア分割数を増やすことにより変動割合を少なくすることが可能となる。
【００５２】
（実施例３）
実施例3は、点灯エリアごとにLEDの駆動電流およびデューティ比を制御可能なバックライトを有する画像表示装置である。本実施例の構成および処理は基本的に実施例2と同様
である。主な相違点はLEDごとに駆動電流量だけでなくデューティ比も異ならせる点であ
る。例えば本実施例は、前述のように駆動電流値を変えることで輝度ムラをなくして均一化を図り、さらにローカルディミング制御により映像に応じて点灯エリアごとに輝度を変える制御をデューティ比の変更により実現するバックライト装置である。
［動作例５］
ここでは、点灯エリアごとのLEDの駆動電流量とデューティ比がそれぞれ異なる場合を
例として、図7A-7Lを参照してディレイの決定方法について説明を行う。本例では、図7A
に示すように、駆動電流量は点灯エリア1-3が4C、点灯エリア4-6が3C、点灯エリア7-9が2C、点灯エリア10-12が1Cである。そして、PWMの点灯デューティ比は点灯エリア1、4、7、
10が50%(0.5T)、点灯エリア2、5、8、11が40%(0.4T)、点灯エリア3、6、9、12が20%(0.2T)であるとする。全ての点灯エリアのディレイを0Tに設定した場合の点灯パターンを図7A
に示している。図7Aでは合計駆動電流は示していないが、大きな電流変動が生じることが分かる。
【００５３】
このような場合のバックライト制御部105によるディレイ決定処理は次のようになる。
ディレイの決定は駆動電流量の高い点灯エリアから行われ、同じ駆動電流の点灯エリアが複数存在する場合にはデューティ比が高い点灯エリアからディレイを決定する。駆動電流量とデューティ比の両方が同じ場合の決定順序は任意である。したがって、本例では、点灯エリア1-12の順番でディレイを決定するように、ディレイ決定順序が定められる。なお、この例では説明の分かりやすさのために、ディレイの決定順序が点灯エリア番号の順番となるに駆動電流量を設定しているが、実際にはこの限りではない。
【００５４】
まず点灯エリア1のディレイのディレイは0Tと決定される。次の点灯エリア2のディレイは0.5Tと決定される。同様に点灯エリア3のディレイは0.9Tと決定される。点灯エリア3までディレイを決定した後の点灯パターンを図7Bに示す。
【００５５】
点灯エリア3までディレイを決定した時点での合計駆動電流量は図7C上段に示すように
、0T-0.1Tが8C、0.1Tから1Tが4Cである。したがって、点灯エリア4のディレイは図7C下段に示すように0.1Tと決定される。
点灯エリア4までディレイを決定した時点での合計駆動電流量は図7D上段に示すように0T-0.1Tが8C、0.1T-06Tが7C、0.6T-1Tが4Cである。したがって、点灯エリア5のディレイは図7D下段に示すように0.6Tと決定される。
点灯エリア5までディレイを決定した時点での合計駆動電流量は図7E上段に示すように0T-0.1Tが8C、0.1T-1Tまでが7Cである。したがって、点灯エリア6のディレイは図7E下段に示すように0.1Tと決定される。
点灯エリア6までディレイを決定した時点での合計駆動電流量は図7F上段に示すように0T-0.1Tが8C、0.1T-0.3Tが10C、0.3T-1Tが7Cである。したがって、点灯エリア7のディレイは図9E下段に示すように0.3Tと決定される。
【００５６】
点灯エリア7までディレイを決定した時点での合計駆動電流量は図7G上段に示すように0T-0.1Tが8C、0.1T-0.3Tが10C、0.3T-0.8Tが9C、0.8T-1Tが7Cとなる。点灯エリア7の点灯
期間（デューティ比）は0.5Tであり、最も電流量が低い0.8T-1Tと、この期間の後に続き
次に電流量が低い0T-0.1Tを足した期間よりも長い。そこで、これらの期間の前後の期間
のうち電流量が低い方の期間、すなわち0.3T-0.8Tの期間においても点灯エリア7を点灯させる。ここでは図7G下段に示すように、点灯エリア8の点灯期間が0.2Tにおいて終了する
ように、ディレイは0.7Tと決定される。
点灯エリア8までディレイを決定した時点での合計駆動電流量は図7H上段に示すように
、0T-0.3Tが10C、0.3T-0.7Tが9C、0.7T-0.8Tが11C、0.8T-1Tが9Cである。したがって、点灯エリア9は一番電流量の低い9Cの期間に点灯するようにディレイを決定する。ここで後
の点灯エリアのディレイを決める際に平準化しやすくなるように点灯エリア9のディレイ
を0.5Tとして電流量11Cの位相が連続になるように決定する（図7H下段）。なお、電流量11Cの位相の前ではなく、その後で点灯するようにして電流量11Cの位相が連続するように
してもよい。
【００５７】
点灯エリア9までディレイを決定した時点での合計駆動電流は図7I上段に示すように、0T-0.3Tが10C、0.3T-0.5Tが9C、0.5T-0.8Tが11C、0.8T-1Tが9Cである。ここでは、図7I下
段に示すように、点灯エリア10のディレイは0.8Tと決定して、0.8T-1.0Tおよび0T-0.3Tを点灯期間とする。なお、ディレイを0Tとして、0T-0.5Tを点灯期間としてもよい。
点灯エリア10までディレイを決定した時点での合計駆動電流は図7J上段に示すように、
0T-3Tが11C、0.3T-0.5Tが10C、0.5T-0.8Tが11C、0.8T-1Tが10Cである。したがって、点灯エリア11のディレイは図7J下段に示すように0.3Tと決定される。
点灯エリア11までディレイを決定した時点での合計駆動電流量は図7Kに示すように、0T-0.3Tが11C、0.3T-0.5Tが10C、0.5T-0.7Tが12C、0.7T-0.8Tが11C、0.8T-1Tが10Cである。したがって、点灯エリア12のディレイは図7Kに示すように0.3Tと決定される。なお、この場合にディレイを0.8Tとしてもよい。
【００５８】
以上のように点灯エリア1から点灯エリア12までの全ての点灯エリアについてディレイ
が決定された状態での、点灯パターンおよび合計駆動電流量を図7Lに示す。図を見れば分かるように電流量の大幅な変動は抑えられていることが分かる。
【００５９】
以上のように、点灯エリアごとの電流量が一定ではなく、かつ画像の変化に応じたローカルディミング制御により点灯エリアごとのデューティ比が変化する場合でも、図7Lに示すように、合計電流量の大幅な変動を抑制することができる。よって、電力効率が良くコストを抑えた電源設計が可能になり、低消費電力、低コストを実現可能になる。
【００６０】
（ディレイ決定処理）
上記で説明したディレイ決定処理（点灯位相決定処理）を実現するためのバックライト制御部105における処理内容について、図8Aのフローチャートを参照して説明する。なお
、図8Aのフローチャートは、点灯エリアごとに光源の駆動電流量とデューティ比の少なくとも一方が異なる場合であってもこれらの両方が異なる場合であっても、駆動電流を抑制できる処理内容である。図8Aに示す処理によって、実施例1-3のディレイ決定を実施でき
る。ただし、全ての点灯エリアにおいて駆動電流量が同一である実施例1や全ての点灯エ
リアにおいてデューティ比が同一である実施例2を実現するだけであれば、これらの量が
異なる場合について考慮した処理の部分は省略して構わない。
【００６１】
図8Aのフローチャートに記載の処理は、入力された画像データに基づいて各点灯エリアについて駆動電流量およびデューティ比が決定された後に行われる。また、このフローチャートに示すディレイ決定処理は、バックライト制御部105によって繰り返し実行される
。
【００６２】
まず、ステップS101で、バックライト制御部105は、点灯エリアごとのディレイ（点灯
位相）の決定順序を決定する。具体的には、駆動電流量が高い点灯エリアから順にディレイを決定する。駆動電流量が同じ点灯エリアが複数存在する場合は、デューティ比が高い点灯エリアを先とする。駆動電流量もデューティ比も同じ点灯エリアが複数存在する場合は、これらの点灯エリアのディレイ決定順序は任意であって構わない。例えば、エリア番号が若い方を優先したり、ランダムに決定したりしてよい。なお、ステップS101の処理が本発明の順序決定ステップに相当し、この処理を実行するバックライト制御部105が本発
明の順序決定手段に相当する。
【００６３】
ステップS102以降で、バックライト制御部105は、上記決定順序にしたがって各点灯エ
リアのディレイ（点灯位相）を順次決定する。ステップS102で、バックライト制御部105
は、ディレイが未決定の点灯エリアのうちから、ステップS101で決定した決定順序に従って次にディレイを決定すべき点灯エリアを選択する。以下では、次にディレイを決定する点灯エリアのことを、対象点灯エリアと称する。
【００６４】
ステップS103で、バックライト制御部105は、これまでにディレイを決定した点灯エリ
アについての光源の駆動電流量の合計を算出する。すなわち、各タイミング（位相）においてどれだけの駆動電流量が必要とされるかを把握する。ステップS104で、バックライト制御部105は、合計駆動電流が最も低い期間において対象点灯エリアが点灯するように、
対象点灯エリアのディレイを決定する。決定済みエリアについての合計駆動電流が最も低い期間において対象点灯エリアを点灯させることで、決定済みエリアおよび対象点灯エリアについての合計駆動電流の変動を抑制できる。ステップS105で、バックライト制御部105は全ての点灯エリアについてディレイを決定したか判断し、未決定の点灯エリアが残っ
ている場合（S105-NO）は、ステップS102に戻る。全ての点灯エリアについてディレイを
決定している場合（S105-YES）は処理を終了する。なお、ステップS102からステップS105の処理が本発明の位相決定処理に相当し、この処理を実行するバックライト制御部105が
本発明の位相決定手段に相当する。
【００６５】
ステップS104では合計駆動電流が最も低い期間で対象点灯エリアが点灯するようにディレイが決定されるが、より具体的なディレイ決定手法について図8Bから図8Fを参照して説明する。図8Bから図8Fでは、それまでにディレイが決定した点灯エリアの合計駆動電流量を黒い四角で示し、ディレイ決定対象の点灯エリアの点灯期間を白い四角で示している。これらの図においてはPWM制御の1周期分を示している。
【００６６】
図8Bでは、それまでにディレイを決定した点灯エリアの最低電流期間として期間L1が選択される。ここでは、対象点灯エリアの点灯期間Dが期間L1以下の長さなので、対象点灯
エリアを期間L1の中だけで点灯させることができる。この際、期間L1の開始タイミングにおいて対象点灯エリアが点灯を開始するようにディレイを決定すると、その後の点灯エリアについて合計駆動電流の平準化が容易となる。
【００６７】
図8Cおよび図8Dは、最低電流期間の長さが対象点灯エリアの点灯期間よりも短い場合の例である。このような場合には、最低電流期間の前か後においても対象点灯エリアを点灯させる必要がある。ここで、最低電流期間の前後の期間のうち、合計電流期間が小さい方の期間でも対象点灯エリアを点灯させるようにする。
図8Cでは、最低電流期間L2の前の期間の方が後の期間よりも合計電流量が少ない。そこで、期間L2とその前の期間において対象点灯エリアが点灯するようにディレイを決定する。期間L2の全てで点灯が行われるように、対象点灯エリアの点灯期間の終了時点が期間L2の終了時点と一致するようにディレイを決定するとよい。
図8Dでは、最低電流期間L2の後の期間の方が前の期間よりも合計電流量が少ない。そこで、期間L2とその後の期間において対象点灯エリアが点灯するようにディレイを決定する。期間L2の全てで点灯が行われるように、対象点灯エリアの点灯開始が期間L2の開始時点と一致するようにディレイを決定するとよい。
また、最低電流期間の前後において合計駆動電流が同じ場合には、前後どちらの期間を用いて対象点灯エリアを点灯させてもよい。
【００６８】
図8Eは、最低電流期間の前後いずれかの期間を足しても、対象点灯エリアの点灯期間が短い場合の例である。この例では、最低電流期間L4は対象点灯エリアの点灯期間Dよりも
短い。そして、期間L4の前の期間の方が合計電流量が小さいので、この期間においても対象点灯エリアを点灯させるようにする。しかしながら、最低電流期間とその前の期間L5を足した期間（L4+L5）も、対象点灯エリアの点灯期間Dよりも短い。この場合は、期間L4+L5の前後のいずれかの期間も用いて対象点灯エリアを点灯させる。上記と同様に、期間L4+L5の前後の期間の合計駆動電流を調べて、この例では後の期間の方が合計電流量が少ないので、後の期間も用いて点灯するようにディレイを決定する。今の例では、２回の期間拡張によって対象点灯エリアの点灯期間が確保できているが、一般には、対象点灯エリアの点灯期間が確保できるまで期間の拡張を繰り返せばよい。
【００６９】
図8Fは、合計電流が最低の期間が、分離して2つ存在する場合の例である。図8Fではそ
れぞれ異なる期間L6と期間L7に合計駆動電流が最低となっている。この場合、例えば、期間L6, L7のうち短い期間において対象点灯エリアが点灯するようにディレイを決定するこ
とが考えられる。あるいは、隣接する期間との電流差が大きい期間において、対象点灯エリアが点灯するようにディレイを決定することが考えられる。複数の最低電流期間のうちから1つを選択した後の対象点灯エリアの具体的なディレイの決定は、上記と同様に決定
すればよい。ただし、最低電流期間の長さが対象点灯エリアの点灯期間よりも長い場合には、最低電流期間の前後の期間のうち電流量が大きい方の期間と、対象点灯エリアの点灯期間が隣接するようにディレイを決定するとよい。
【００７０】
ここまで、あらかじめ定められた規則にしたがって対象点灯エリアのディレイを決定する方法を説明したが、探索的な手法でディレイを決定してもよい。具体的には、それまでに決定した点灯エリアの合計駆動電流に基づいて、対象点灯エリアのディレイの候補を複数求め、各ディレイ候補を採用した場合の合計駆動電流の変動を評価し、最も変動が少なくなる候補を最終的なディレイとして決定してもよい。
ディレイ候補は、例えば、合計駆動電流が変わるタイミングで対象点灯エリアの点灯が開始したり終了したりするようなディレイとして求めることができる。あるいは、ディレイ候補はあらかじめ定められたタイミングであってもよい。
合計駆動電流の変動の評価は、例えば、最大値と最小値の差や、合計電流量が切り替わるタイミングにおける変化量の最大値、合計駆動電流に応じて１周期が何分割されるか、といった観点から行えばよい。最大値と最小値の差が小さいほど、電流量の変動が小さいと評価できる。合計電流量が変わるタイミングにおける変化量の最大値が小さいほど、駆動電流量の大きな切り替わりがないので、電流量の変動が小さいと評価できる。合計駆動電流に応じて１周期が分割される数が少ないほど、駆動電流量の切り替わりが少なくなるので、電流量の変動が小さいと評価できる。また、このような評価をすることで、現時点での変動を抑制するだけでなく、その後の点灯エリアのディレイ決定時における合計電流量の抑制が容易になる。
【００７１】
規則ベースの手法と探索ベースの手法を組み合わせてディレイを決定することも好ましい。例えば、１周期において合計駆動電流の切り替わりが所定数以上ある場合には、探索的な手法を用いるようにすることが考えられる。
【００７２】
（変形例）
上記の実施例では、光源としてLEDを用いた画像表示装置用のバックライトへ本発明を
適用した例を説明したが、本発明の範囲はこれに限定されない。例えば、光源として有機EL（Electro-Luminescence）発光素子を用いてもよい。また、本発明は、複数の光源を備え、各光源の発光量がPWM制御され、PWM制御の1周期ごとに、各光源のデューティ比及び
点灯開始タイミングを変更可能な照明装置であれば、画像表示装置のバックライト以外の照明装置にも適用することができる。
【００７３】
上記の説明では、ディレイの決定順序を全ての点灯エリアに全て決定してから、ディレイの決定処理を行うものとして説明しているが、ディレイの決定順序を決めながらディレイの決定処理を行ってもよい。また、それぞれの点灯エリアについてディレイを決定する方法は、合計駆動電流の変動が抑制されるような方法であれば、上記以外の方法であってかまわない。
【００７４】
例えば、直前の点灯エリアのディレイに、当該直前の点灯エリアのデューティ比を足した値を、次の点灯エリアのディレイとして決定しても良い。全ての点灯エリアの駆動電流量が等しい場合には、この方法は、図8A-図8Fを用いて説明した合計駆動電流量に基づく
決定処理と同じディレイを得ることができる。点灯エリアごとの駆動電流量が異なる場合であっても、この手法によってディレイを決定しても従来技術より駆動電流の変動を抑制することができる。
【００７５】
また、駆動電流量が直前の点灯エリアと同じであるか異なるかに応じて、ディレイの決定方法を変えても良い。すなわち、ディレイを決定する対象の点灯エリアの駆動電流と、直前にディレイを決定した点灯エリアの駆動電流が等しい場合は、直前の点灯エリアのディレイとデューティ比を足した値を、対象点灯エリアのディレイとして決定する。駆動電流が異なる（減る）場合は、上記で図8B-図8Fを用いて説明した手法によってディレイを
決定する。このような処理によれば、駆動電流量が同じ間は簡単にディレイを決定できるので演算量を削減でき、かつ、合計駆動電流の変動も抑制することができる。
【００７６】
また、駆動電流が直前の点灯エリアと同じかどうかではなく、別の基準にしたがって、ディレイの決定方法を変えても良い。すなわち、直前の点灯エリアのディレイとそのデューティ比を足して値が1周期分を超えない場合は、この値を次の点灯エリアのディレイ値
として決定する。逆に、直前の点灯エリアのディレイとそのデューティ比を足した値が1
周期分を超える場合には、上記で図8B-図8Fを用いて説明した手法によってディレイを決
定する。このような処理によっても、合計駆動電流の合計を抑制することができる。
【００７７】
また、上記の実施例では、駆動電流値が高い点灯エリアから順に、同じ駆動電流値の点灯エリアではデューティ比が高い順にディレイ値の決定をしたが、必ずしも厳密に駆動電流値やデューティ比が高い順に決定しなくても良い。例えば、それぞれの点灯エリアを、駆動電流値の大きさに応じて複数のレベル（グループ）に分類し、駆動電流値レベルが大きい点灯エリアから順にディレイを決定しても良い。また、ディーティ比についても同様に、デューティ比の大きさに応じて複数のレベル（グループ）に分類し、駆動電流値またはそのレベルが等しい複数の点灯エリアの中では、デューティ比レベルが高い点灯エリアから順にディレイを決定しても良い。レベル分けは、例えば、高・中・低のように3つの
レベルに分類することが考えられるが、分類数は必ずしも3つでなくてよく、2つや4つ以
上であってもかまわない。また、合計駆動電流が等しいかどうかを判断する際にも厳密な判断を行わずに、所定範囲の差は許容して合計駆動電流が等しい期間であると判断しても構わない。
【符号の説明】
【００７８】
105：バックライト制御部
106：LEDドライバ
107：バックライト
【図１】
2016046104.tif 000003
【図２】
2016046104.tif 000004
【図３】
2016046104.tif 000005
【図４−１】
2016046104.tif 000006
【図４−２】
2016046104.tif 000007
【図５−１】
2016046104.tif 000008
【図５−２】
2016046104.tif 000009
【図６−１】
2016046104.tif 000010
【図６−２】
2016046104.tif 000011
【図６−３】
2016046104.tif 000012
【図６−４】
2016046104.tif 000013
【図６−５】
2016046104.tif 000014
【図７−１】
2016046104.tif 000015
【図７−２】
2016046104.tif 000016
【図７−３】
2016046104.tif 000017
【図７−４】
2016046104.tif 000018
【図７−５】
2016046104.tif 000019
【図８】
2016046104.tif 000020
【図９】
2016046104.tif 000021